(57)【要約】      （修正有）【課題】初心者がパッティングする際、バランスよく振り易い適切な重さで、グリーン表面を確認しながらパッティングラインに沿って正確にパッティングし易いゴルフ用パターヘッドを提供する。【解決手段】マレット型あるいはネオマレット型ゴルフ用パターヘッドであって、ヘッド本体１のトップ面１ａもしくはソール面１ｂには、フェース面１ｃに近くかつ平行で、スィートエリア１ｃ２の長さを示すスィートエリア表示１ｅや、更にパターヘッドの重心Ｇを通る垂線上の点を通り、ヘッド本体１のフェース面１ｃに垂直でかつヘッド本体１のトップ面１ａやソール面１ｂあるいはそれら両面に表示されたパッティング方向表示１ｇなどを備えて、ヘッド本体１の材料には高強度かつ比重の大きい透明ガラスセラミックスを使用するものである。【選択図】図２
2019054955.tif 000002
【特許請求の範囲】
【請求項１】
透明なガラスセラミックスからなるマレット型もしくはネオマレット型ヘッド本体と、
前記ヘッド本体のフェース面に近くかつ平行で、スィートエリアの位置と長さを示し、少なくともトップ面もしくはソール面上に示されたスィートエリア表示と、
前記ヘッド本体の重心Ｇを通る垂線とトップ面もしくはソール面との交点を通り、前記ヘッド本体のフェース面に垂直でかつ前記ヘッド本体の少なくともトップ面もしくはソール面に示されたパッティング方向表示と、
を有するゴルフ用パターヘッド。
【請求項２】
前記スィートエリア表示の両端に、前記パッティング方向表示と平行になるように前記ヘッド本体のトップ面もしくはソール面上に表示されたスィートエリア補助表示とを有する請求項１に記載されたゴルフ用パターヘッド。
【発明の詳細な説明】
【技術分野】
【０００１】
本発明は、初心者プレーヤーが正確にパッティングすることが容易に出来るゴルフ用マレット型パターヘッドに関する。
【背景技術】
【０００２】
グリーン上でゴルフボールを転がすために用いられるゴルフクラブとしてパターがある。これは他のゴルフクラブと同様に、ヘッド本体、シャフト、グリップなどで構成されている。パターには、プレーヤーが安定したパッティングをすることができる構成が求められる。また、前述のヘッド本体のフェース面上で、ヘッド本体の重心点から垂直に交わるスイートスポットの周辺を表すスィートエリアで打ち易いように、様々なヘッドの構造を持ったパターが世の中に存在する。中でも安定性に特化した構造としてフェース面から重心を奥に配置した重心深度の深い構造のパターヘッドは、スイートエリアを広くとれ、慣性モーメントも大きいために安定したパッティングができることが知られている。
【０００３】
プレーヤーの観点でパッティングの際に重要なことは、様々な傾斜や起伏のあるグリーンに合わせて、前述のフェース面を目で見てゴルフボールの転がる方向、すなわちパッティングラインに対してフェース面を略直角に、かつゴルフボールの中心に当てることである。パッティングラインはパターヘッドの形状によって、視覚的に合わせ易いものと、そうでないものがある。合わせ易いものとしては、Ｔ字型やＬ字型のパターヘッドがある。特許文献１は一部に樹脂の透明部があってヘッド本体の下方を見ることが出来る。
さらに、透明なアクリル樹脂で製作されたパターヘッドに、シャフトが固定されたパターが特許文献２に開示されている。この特許文献２には、ソール面を含む下部、上面を含む上部に、フェース面と略直角の打球方向支持線を備えていることが紹介されている。
【先行技術文献】
【特許文献】
【０００４】
【特許文献１】特許第４５２２７７５号公報
【特許文献２】特開２００６-７５２６７号公報
【発明の概要】
【発明が解決しようとする課題】
【０００５】
しかしながら、特許文献１においては、前述のフェース面に略直角な直線部とはヘッドの両側面の狭い箇所でありボールの打点位置とは大きく離れており、パッティングラインに沿って正しく振ることは難しいという問題があった。また、フェース面のスイートエリアの位置も判らず、プレーヤーが最適な位置に当てることが難しい問題もあった。
また、特許文献２には、打球方向支持線を備えたことは、本発明の一部に共通しているが、ヘッド本体が軽すぎる。すなわち、比重は１．２g/cm3程度と低比重だと、初心者プレーヤーの多くは、グリーンが見えかつ打球方向支持線があってもフェース面のスイートエリアを外したり、打球方向支持線通りにパッティングができないというミスを侵すことが多くなる。なお、この明細書でスイートエリアとは、スイートスポットとほぼ同等の打点効果が得られる範囲をいう。
【０００６】
参考までに、アクリル系樹脂であると、比重が１．２g/&#13220;程度であり、軽すぎるためバランサ金属を埋め込むなどして、大きさに対する重量確保をしていることが多い。そのため、高度な製造技術や製造工程を必要とするため、高価なものづくりになる。
また、アクリル系樹脂の場合、表面が柔らかいため傷が付き易く、さらに、化学薬品に弱く、紫外線などによる変色を含めた耐候性にも劣るため、練習や観賞等として用いられるが、実際の使用には適切なものといい難かった。
本発明は上記の事情に鑑みてなされたものであり、初心者がパッティングする際、バランスよく振り易い適切な重さで、グリーン表面を確認しながらパッティングラインに沿って正確にパッティングし易いゴルフ用パターヘッドを提供することを目的とする。
【課題を解決するための手段】
【０００７】
上記目的を達成するための上位概念の発明１は、透明なガラスセラミックスからなるマレット型もしくはネオマレット型ヘッド本体であり、ヘッド本体のフェース面に近くかつ平行で、スィートエリアの位置と長さを示すトップ面もしくはソール面に示されたスィートエリア表示と、前述のヘッド本体の重心Ｇからトップ面もしくはソール面に投影した点、すなわち、重心Ｇを通る垂線のトップ面もしくはソール面との交点を通り、前述のヘッド本体のフェース面に垂直でかつ先のヘッド本体のトップ面もしくはソール面に示されたパッティング方向表示と、を有するゴルフ用パターヘッドである。
ここでネオマレット型と記載したが、マレット型の変形した形状のパターヘッドを示す。すなわち、トップ面が半円形のタイプではなく、外形的には四角形状のような外形になるが、例えば、中央と両側面との間に空間が設けられたような形状もあり、本発明のスイートエリア表示とパッティング方向表示とが刻印できるような形状を意味する。
【０００８】
ヘッド本体の材料に紫外線や熱処理などにより微結晶を発生させたガラスで、透明で耐衝撃・高硬度なクリアガラスセラミックスが選択されているので、表面の硬度も硬く傷付きにくい上、パッティングに使用しても割れにくく、重さも適切で好ましいものとなる。また、耐薬品性および耐候性に優れており、グリーン上で実際の使用に耐えられるので、アクリル樹脂のもつ多くの問題点を解消することができる。
ヘッド本体に表示するスィートエリア表示については、ヘッド本体が透明であるので、トップ面に表示してもソール面に表示しても見ることができる。また、重心Ｇの位置はCAD設計データから求めることが出来る。
【０００９】
本発明１によれば、プレーヤーはゴルフボールを左目下に見てヘッド本体の下のグリーンの状態も見ながら、ヘッド本体のトップ面またはソール面に表示されたスイートエリア表示とパッティング方向表示と、を見ることが出来るので、ダフることも防げ、パッティングライン上を良い転がりでパッティングすることが容易になる。
また、合成樹脂製ヘッドのように軽すぎる場合、初心者が犯す浮き上がりミスを、本発明では防止できる。バランスよく振り易い適切な重さに調整しやすく、トゥ側を浮かせたりあるいはヒール側を浮かせたりする癖のあるプレーヤーでも、スイートエリアの位置の範囲で、パッティング方向表示通りにパットすることが容易になる。
また、ヘッド本体は高強度の透明ガラスセラミックスで作製されており、適度な重量のヘッド本体で、表面の硬度も硬く傷付きにくいうえ、耐薬品性および耐候性に優れており、グリーン上で実際の使用に耐えられる実用性の高いゴルフ用マレット型もしくはネオマレット型のパターヘッドを提供することができる。
【００１０】
上記の上位概念の発明におけるスィートエリア表示の下位概念である発明２は、前述のスィートエリア表示の両端に、パッティング方向表示と平行になるようにヘッド本体のトップ面もしくはソール面に示されたスィートエリア補助表示、を有するゴルフ用パターヘッドである。
ヘッド本体は透明であるので、前述のスィートエリア補助表示についてもトップ面に表示してもソール面に表示しても見ることが出来る。
【００１１】
このような本発明２によれば、これらのスィートエリア表示やスィートエリア補助表示を追加したことにより、一層スィートエリアが分かり易くなるため、ヘッド本体のスィートエリアにゴルフボールの中心を当てやすくなり、安定した意図通りのパッティングをすることが容易になる。特に、プレーヤーがトゥ側を浮かせたり、ヒール側を浮かせたりするプレーヤーにとって手打ちにならずスイートエリアを認識しながらパッティングすることが容易になる。
【発明の効果】
【００１２】
初心者プレーヤーがパッティングする際、バランスよく振り易い適切な重さで、グリーン表面を確認しながらスイートエリアの範囲が認識でき、パッティングラインに沿って正確にパッティングし易いゴルフ用パターヘッドを提供することができる。
【図面の簡単な説明】
【００１３】
【図１】本発明の第１の実施形態であるマレット型パターヘッドを有するパター全体の斜視図である。
【図２】本発明の第１の実施形態であるマレット型パターヘッドの斜視図である。
【図３】本発明の第１の実施形態であるマレット型パターヘッドをフェース面から見た側面図である。
【図４】本発明の第１の実施形態であるマレット型パターヘッドをトップ面から見た平面図である。
【図５】本発明の第２の実施形態であるマレット型パターヘッドの斜視図である。
【発明を実施するための形態】
【００１４】
以下、本発明の実施形態を図１〜図５にて詳細に説明するが、本発明は下記実施形態に限定されるものでない。
（発明の第１の実施形態）
【００１５】
先ず、図１においてパター全体の構成を説明する。ゴルフボールを打つヘッド本体１は、全面高強度の透明ガラスセラミックスで作製されており、例えば、株式会社オハラ製の耐衝撃性・高強度クリアガラスセラミックスなどで作製される。このような材料は比重が２．２〜２．７g/&#13220;程度であり、アルミニウウムと同程度である。したがって、フェース面１cの大きさで表現すると、幅が１００ｍｍ程度であり、厚みが２０〜２５ｍｍ程度の大きさであれば、一般のゴルファーに満足していただける重さとなる。
ボールを打つフェース面１ｃ近傍で、かつヒール側近傍にシャフト軸取り付けホーゼル穴１ｈにフェラル２を介して例えば、カーボン製などのシャフト３が圧入接着やねじ止め等の手段で固着され取り付けられている。なお、プレーヤーが手で握る部分は、シャフト部の他端近傍にシャフト３を覆うように設けられた円筒状で多少の弾性を持たせたグリップ４である。
【００１６】
本発明の第１の実施形態であるマレット型パターのヘッド本体１について、図２〜図４を用いて詳細に説明する。
ヘッド本体１の構成は、ゴルフボールを打つために構えたとき、プレーヤーが最初に見るトップ面１ａと、トップ面１ａと直交しボールを打つ平坦な略長方形の面であるフェース面１ｃと、前述したトップ面１ａと対向し、周辺方向になだらかな曲面を有し、グリーンに接触するソール面１ｂと、さらに前述のフェース面１ｃと対向し、上面から見た形状が略半円形状でトップ面１aを縁どるバック部１ｄと、で構成されている。
【００１７】
トップ面１ａには略Ｌ字形状の肉厚部分である上部構造体１ａ１を設けているが、上部構造体１ａ１は前述のシャフト３を取り付けるためにある程度の厚みが必要であり、強度的にも必要な厚さを持つように形成されている。略Ｌ字形状以外の肉薄部分は、下部構造体１a２であり、重量調整の役割をも含め厚さが調整される。場合によっては、下部構造体１a２が、上部構造体１ａ１の厚みと同等になることもあり得る。
【００１８】
また、ヘッド本体１の重心Gは、ヘッド本体１内にあり、図２に示しているように重心Ｇからフェース面１ｃに向かって垂直になるように、フェース面１ｃ上と直角に交わる点が重心前面投影点Ｇcになる。また、重心Ｇからトップ面１ａに向かって垂直になるように、トップ面１ａと交わる点が重心上面投影点Ｇａになる。すなわち、重心Ｇを通る垂線のトップ面１aとの交点が重心上面投影点Ｇａになる。この重心Ｇの位置はCAD設計のときに求めることが出来る。
【００１９】
図３に示すように、ゴルフボールを打つフェース面１ｃには、前述の重心前面投影点Ｇcを中心に図３中のクロスハッチングで表している略長方形を成すスイートエリア１ｃ２が存在し、その長手方向の長さはＡとなっている。フェース面１ｃ表面には同様に長手方向にフェースライン１ｃ１を設けてある。フェースライン１ｃ１を設ける理由は、本発明のように材質がガラスセラミックスだと、材質的に硬いのでミーリングで打感調整をしたほうが良く、フェースライン１ｃ１やその他、線状でなく、荒らしたりすることでも、同様の効果が期待できる。
なお、前述のスイートエリア１ｃ２は通常はフェース面１ｃに表示されていないが、ミーリング調整用の模様で表示されていても構わない。このようなスイートエリア１ｃ２は、フェース面１ｃに表示されているものがあるが、むしろ、ゴルフボールを打つとき、プレーヤーは立った状態の上から見るので、トップ面に表示がないと見えにくく、特に、初心者には見えにくい。
【００２０】
そこで、図４に示すように、トップ面１ａには前述のスイートエリア１ｃ２の長さＡと同じ長さのスイートエリア表示１ｅが、フェース面１ｃの近傍に、フェース面１ｃと平行にトップ面１ａ上に設けられている。このスイートエリア表示１ｅにより、ゴルファーがパットしようとするとき、左目でゴルフボールを見ながらスイートエリアが認識できるので、ゴルファーは安心してパットができるようになる。それゆえ、ゴルフプレーで最も重要な心理的な効果が非常に大きくなる。さらには、重心上面投影点Ｇａを通りスイートエリア表示１ｅに垂直に向かうようにパッティング方向表示１ｇが線表示されている。このパッティング方向表示１ｇは、幅広の帯状の表示にしてもよい。
【００２１】
このスイートエリア表示１ｅのために略Ｌ字形状の肉厚部分である上部構造体１ａ１の一部が、肉薄部分である下部構造体１a２中央部分に、突き出し部が形成されている。この突き出し部は、なければならないものではなく、肉薄部分である下部構造体１a２のままでもよく、この場合、肉薄部分である下部構造体１a２の上面にパッティング方向表示１ｇの一部が刻印されるように形成しても良い。
【００２２】
このようにスイートエリア表示１ｅとパッティング方向表示１ｇとの両方が、トップ面に山の字のように表示されていることにより、初心者であるプレーヤーがパッティングする際の安心感をもたらし、高スコア―を引き出す可能性を高める。
また、各線の形態は凹状の溝であったり、溝内に塗料で着色した線であったり、ブラスト加工で作製した線であったりしてもよく、視認性と耐久性に優れたものであれば良い。
【００２３】
また、スイートエリア表示１ｅの両端部には、パッティング方向表示１ｇと平行な２本表示のスイートエリア補助表示１ｆが設けられている。これらのスイートエリア表示１ｅ、パッティング方向表示１ｇ、スィートエリア補助表示１ｆであるが、上述の通り、ヘッド本体１が透明なのでヘッド本体１のソール面１ｂに設けても良い。
【００２４】
（発明の第２の実施形態）
図５は発明の第２の実施形態であるマレット型パターヘッド本体１のスイートエリアの表示の異なる例を示すもので、前述のスイートエリア表示１ｅとスィートエリア補助線１ｆではなくて、これらで囲むエリア表示区域であるスィートエリアの表示区域１ｅ１となっている。このスィートエリアの表示区域１ｅ１内のガラス表面は、ブラスト加工などで凹凸形状を付加しても良いし、複数の平行線や網掛け線などの溝加工を付加して作製しても良い。
【００２５】
（ヘッド部のガラスセラミックスの加工方法）
透明ガラスセラミックスのブロック体についてＣＡＤデータを基に工作機械により精密に切削加工し、研磨加工を行なう。またガラス表面に対してブラスト加工などで任意の柄模様や文字などを付加して装飾性を高めることが出来るので、様々な顧客のニーズに応えることが出来る。
【００２６】
（ヘッド部の形状）
前述ヘッド本体１については主にマレット型で説明するが、他のピン型、Ｌ字型、Ｔ字型に比べて重心Ｇの位置がフェース面１ｃから離れるために重心深度が深く、慣性モーメントが大きくなってヘッドが回転しにくくなり、初心者でも安定したパッティングができる。したがって、ネオマレット型の形状でも同様である。
【００２７】
本発明は、ヘッド本体が透明ガラスセラミックス製であり、割れにくく傷が付きにくいうえ、耐薬品性および耐候性に優れており、ヘッド本体にスィートエリア表示と、選択的なスィートエリア補助表示とパッティング方向表示とを表示してあるので、初心者でもパッティングする際に正確にパッティングし易く、実用性の高いゴルフ用パターヘッドを提供することが出来る。
【符号の説明】
【００２８】
１・・・ヘッド本体
１ａ・・・トップ面
１ｂ・・・ソール面
１ｃ・・・フェース面
１ｃ１・・フェースライン
１ｃ２・・スイートエリア
１ａ１・・・上部構造体
１ｄ・・・バック部
１ｅ・・・スィートエリア表示
１ｅ１・・スィートエリアの表示区域
１ｆ・・・スィートエリア補助表示
１ｇ・・・パッティング方向表示
１ｈ・・・シャフト軸取り付けホーゼル穴
G・・・ヘッド本体の重心
Ｇa・・・ヘッド本体重心のトップ面上の重心上面投影点
Ｇc・・・ヘッド本体重心のフェース面上の重心前面投影点
２・・・フェラル
３・・・シャフト
４・・・グリップ
【図１】
2019054955.tif 000003
【図２】
2019054955.tif 000004
【図３】
2019054955.tif 000005
【図４】
2019054955.tif 000006
【図５】
2019054955.tif 000007